(57)【要約】【課題】ルーバーの長さ調整を簡単に行うことができる縦型ブラインドとする。【解決手段】ルーバー１０の下端にバランスウエイト１２が吊下支持され、バランスウエイト１２は、ウエイト１４と該ウエイト１４を収納するウエイトカバー１６とを有し、ウエイトカバー１６は一対のカバー片１８、２０から構成され、各カバー片１８、２０には他方のカバー片と係合する係合部１８ｂ、２０ｂが形成され、該一対のカバー片１８、２０の係合部１８ｂ、２０ｂ同士が係合されることによって一対のカバー片１８、２０の間にウエイト１４及びルーバー１０の下端を収納可能となっており、カバー片１８には、隣り合うバランスウエイト１２同士を連結するスペーサコードが係止されるスペーサコード係止部１８ｃが形成されており、スペーサコード係止部１８ｃを操作することにより、前記係合部１８ｂ、２０ｂ同士の係合が解除可能となっている。【選択図】  図２
2005016086.tif 000002
【特許請求の範囲】
【請求項１】
ヘッドレール（Ｈ）内を移動可能な複数のキャリア（Ｃ）の各々からルーバー（１０）が吊下支持され、ルーバー（１０）の下端にバランスウエイト（１２）が吊下支持された縦型ブラインドにおいて、
バランスウエイト（１２）は、ウエイト（１４）と該ウエイト（１４）を収納するウエイトカバー（１６）とを有し、ウエイトカバー（１６）は一対のカバー片（１８、２０）から構成され、各カバー片（１８、２０）には他方のカバー片と係合する係合部（１８ｂ、２０ｂ）が形成され、該一対のカバー片（１８、２０）の係合部（１８ｂ、２０ｂ）同士が係合されることによって一対のカバー片（１８、２０）の間に前記ウエイト（１４）及びルーバー（１０）の下端を収納可能となっており、少なくとも一方のカバー片（１８）には、隣り合うバランスウエイト（１２）同士を連結するスペーサコード（２２）が係止されるスペーサコード係止部（１８ｃ）が形成されており、スペーサコード係止部（１８ｃ）を操作することにより、前記係合部（１８ｂ、２０ｂ）同士の係合が解除可能であることを特徴とする縦型ブラインド。
【請求項２】
前記スペーサコード係止部（１８ｃ）は、少なくとも一方のカバー片（１８）の係合部（１８ｂ）の近傍に形成されることを特徴とする請求項１記載の縦型ブラインド。
【請求項３】
前記一対のカバー片（１８、２０）は透明樹脂材からなることを特徴とする請求項１または２記載の縦型ブラインド。
【請求項４】
前記一対のカバー片（１８、２０）は、別部品から構成されており、前記係合部（１８ｂ、２０ｂ）の係合が解除されると分離可能であることを特徴とする請求項１ないし３のいずれか１項に記載の縦型ブラインド。
【請求項５】
前記カバー片（２０）の少なくとも一方は、その縁部から延設されたフランジ（２０ｃ）を有し、該フランジ（２０ｃ）が、カバー片（１８、２０）の間に収納されたウエイト（１４）及びルーバー（１０）の下端を仮保持することを特徴とする請求項１ないし４のいずれか１項に記載の縦型ブラインド。
【発明の詳細な説明】
【０００１】
【発明の属する技術分野】
本発明は、ヘッドレール内を移動可能な複数のキャリアの各々からルーバーが吊下支持され、ルーバーの下端にバランスウエイトが吊下支持された縦型ブラインドに関する。
【０００２】
【従来の技術】
従来、この種の縦型ブラインドとしては、ルーバーの長さを調整可能とするために、バランスウエイトにルーバーの下端を収納し、その収納する長さを可変としたものが知られている。ルーバーの長さの調整は、通常の縦型ブラインドにおいても、設置場所の高さ寸法が製品発注時に指示されたルーバーの長さと一致しない場合に起こり得るが、それだけでなく、特に傾斜窓に取り付けられるような傾斜タイプの縦型ブラインドの場合には、傾斜角度に応じて各ルーバーの長さが異なる為、出荷された製品と製品発注時に指示されたルーバーの長さとの間に誤差が起こりやすく、その場合ルーバーの下端の長さが不揃いになってしまうため、現場において、ルーバーの長さ調整を簡単にできるようにすることが望まれている。
【０００３】
従来のルーバーの高さを調整可能な縦型ブラインドとしては、例えば特許文献１に記載されるものがあり、これによれば、スラットの下端をボトムウエイトで挟着してスラットでボトムウエイトを被覆するようにしており、ボトムウエイトは、二つ折りに屈折してスラット下端を挟着するケースと、板状のウエイトとからなる。ケースの上部両側端には係合凸部が形成され、ケースの下部両側端には係合凹部が形成されており、ケースが上下方向中央部で屈折して、下部両側端にあった係合凹部が上部両側端の係合凸部に嵌合することによって、二つ折りに屈折した状態でスラットの下端を挟着した状態を維持することができる。
【０００４】
【特許文献１】
特開平１０−１８４２４２号公報
【０００５】
【発明が解決しようとする課題】
しかしながら、かかる特許文献１に記載の構成では、ルーバーの高さを調整するためには、先ずケースの係合凸部と係合凹部との嵌合を解除してルーバーの下端及びウエイトをケースから取出す必要があるが、ケースの上部両端側の狭い部分に指先を引っ掛けて外側に押し広げるように係合凸部を折曲げて係合を解除しなければならず、解除が困難であるという問題がある。
【０００６】
本発明はかかる課題に鑑みなされたもので、その目的は、ルーバーの長さ調整を簡単に行うことができる縦型ブラインドを提供することである。
【０００７】
【課題を解決するための手段】
前述した目的を達成するために、請求項１記載の発明は、ヘッドレール内を移動可能な複数のキャリアの各々からルーバーが吊下支持され、ルーバーの下端にバランスウエイトが吊下支持された縦型ブラインドにおいて、
バランスウエイトは、ウエイトと該ウエイトを収納するウエイトカバーとを有し、ウエイトカバーは一対のカバー片から構成され、各カバー片には他方のカバー片と係合する係合部が形成され、該一対のカバー片の係合部同士が係合されることによって一対のカバー片の間に前記ウエイト及びルーバーの下端を収納可能となっており、少なくとも一方のカバー片には、隣り合うバランスウエイト同士を連結するスペーサコードが係止されるスペーサコード係止部が形成されており、スペーサコード係止部を操作することにより、前記係合部同士の係合が解除可能であることを特徴とする。
【０００８】
スペーサコードが係止されるのに適したスペーサコード係止部を操作することにより、係合部の係合が解除されるので、ウエイトカバーからウエイト及びルーバーの下端を取出して、簡単にルーバーの長さ調整をすることができるようになる。スペーサコード係止部はスペーサコードが係止される構成となっているので、操作力をかけやすく、操作性を良好にすることができる。
【０００９】
請求項２記載の発明は、請求項１記載のものにおいて、前記スペーサコード係止部が、少なくとも一方のカバー片の係合部の近傍に形成されることを特徴とする。この構成により、スペーサコード係止部に操作力をかけると、近傍にある係合部が変位または変形して、係合部の係合を解除することができる。
【００１０】
請求項３記載の発明は、請求項１または２記載のものにおいて、前記カバー片が透明樹脂材からなることを特徴とする。この構成により、透明なカバー片を通して、カバー片の間に収納されるルーバーの下端を外方から見ることができて、カバー片の間に収納されていないルーバーの上部分とウエイトカバーの外観とを同じ色または模様とすることができ、見栄えを良好にすることができる。
【００１１】
請求項４記載の発明は、請求項１ないし３のいずれか１項に記載のものにおいて、前記カバー片は、別部品から構成されており、前記係合部の係合が解除されると分離可能であることを特徴とする。この構成により、係合部を解除した後、ウエイトとルーバーの下端をカバー片の間から一層簡単に取出すことができる。
【００１２】
請求項５記載の発明は、請求項１ないし４のいずれか１項に記載のものにおいて、前記カバー片の少なくとも一方が、その縁部から延設されたフランジを有し、該フランジが、カバー片の間に収納されたウエイト及びルーバーの下端を仮保持することを特徴とする。
【００１３】
【発明の実施の形態】
以下、図面を用いて本発明の実施の形態を説明する。尚、以下の実施形態は本発明を限定するものではない。
【００１４】
図１は本発明の第１実施形態による縦型ブラインドの要部斜視図、図２及び図３は、ルーバーの下端部を表す図である。この縦型ブラインドは、公知のように、ヘッドレールＨ内を移動可能な複数のキャリアＣの各々からルーバー１０が吊下支持されている。
【００１５】
図１ないし図３に示したように、ルーバー１０の下端には、ルーバー１０のばたつき等を防止するためのバランスウエイト１２が吊下支持される。バランスウエイト１２は、ウエイト１４と、ウエイト１４を収納するウエイトカバー１６とからなる。ウエイト１４は、鉄板またはアルミ板等の金属材等が折り返されたものからなり、ルーバー１０の下端を挟むことができるようになっている。ウエイトカバー１６は、それぞれポリプロピレン樹脂、ポリエチレン樹脂、ポリカーボネート樹脂等の合成樹脂材等からなり、好ましくは透明樹脂材からなる一対のカバー片１８、２０からなる。
【００１６】
この実施形態では、カバー片１８とカバー片２０とは別部材で構成され、それぞれの下端は折り曲げられて底部フランジを構成し、それぞれの両側部も折り曲げられて、側部フランジを構成している。
【００１７】
そして、カバー片１８とカバー片２０のそれぞれの底部フランジに形成された底部係合部が互いに係合することで、カバー片１８とカバー片２０とは上部が開閉可能となったウエイトカバー１６を構成する。具体的には、図３及び図４に示したように、カバー片１８の底部フランジに、底部係合部としての一対の開口１８ａ、１８ａが形成され、一方のカバー片２０の底部フランジに、底部係合部としての一対の突起２０ａ、２０ａが形成されており、各突起２０ａが対応する開口１８ａ内にはめ込まれると、カバー１８とカバー２０が一体的に組み合わされる。
【００１８】
また、カバー片１８とカバー片２０のそれぞれの側部フランジの上部に形成された側部係合部（係合部）が互いに係合することで、上部が開閉可能となったウエイトカバー１６が閉鎖される。具体的には、図５に示すように、カバー片１８の上部の両側部にはそれぞれ側部係合部（係合部）としての係合凹部１８ｂ、１８ｂが形成され、一方のカバー片２０の上部の両側部にはそれぞれ側部係合部（係合部）としての係合凸部２０ｂ、２０ｂが形成されている。係合凹部１８ｂは、ここでは開口として構成される。
【００１９】
係合凹部１８ｂ、１８ｂの近傍には、両側外方へと張り出したスペーサコード係止部１８ｃ、１８ｃが形成されている。スペーサコード係止部１８ｃ、１８ｃはスペーサコード２２を係止するためのものであり、スペーサコード２２は複数のルーバー１０の整列を支援し、風などによってルーバー１０が煽られるのを防止するためのもので、隣り合うルーバー１０のバランスウエイト１２同士を連結する。スペーサコード係止部１８ｃは、係合凹部１８ｂの周辺を基部として、外方へと伸びて、その先端がスペーサコード２２が係止される鈎部１８ｄ、１８ｄとなる。
【００２０】
係合凸部２０ｂ、２０ｂと係合凹部１８ｂ、１８ｂとが係合するときに、図５及び図６に示すように、係合凸部２０ｂは、係合凹部１８ｂのスペーサコード係止部１８ｃの一つの凹壁面１８ｂ１に係止する。
【００２１】
こうして、カバー片１８とカバー片２０のそれぞれの側部フランジの上部に形成された係合部が互いに係合されることによって、ウエイトカバー１６が閉鎖し、閉鎖状態において、ウエイトカバー１６の上部、即ち、カバー片１８とカバー片２０のそれぞれの上部の間には隙間１６ａが形成されて、その隙間１６ａをルーバー１０の下端が挿通するようになっている。また、隙間１６ａを挿通したルーバー１０の下端は、ウエイト１４に挟みつけられると共にウエイト１４の周りを１周巻きつけられており、ウエイト１４と共にウエイトカバー１６内に収納される。
【００２２】
以上のように構成される縦型ブラインドにおいて、通常時には、ルーバー１０の下端がウエイトカバー１６の上部の隙間１６ａを挿通しており、ウエイトカバー１６の内部において、ウエイト１４によって挟みつけられている。ウエイト１４と、ウエイト１４に挟みつけられてウエイト１４の回りに巻き付けられたルーバー１０の部分は、ウエイトカバー１６の隙間１６ａを挿通することはできないために、ウエイトカバー１６の内部に納まる。こうして、バランスウエイト１２がルーバー１０の下端に吊下支持される。
【００２３】
ルーバー１０の長さの調整を行うには、カバー片１８とカバー片２０との係合を解除する。このために、一対のスペーサコード係止部１８ｃを掴んで、それを両側離反する方向へと押し出し（図６の矢印参照）、同時にカバー片１８の左右方向中央部をカバー片２０の方に押し付けてカバー片１８を僅かに湾曲させると、係合凹部１８ｂの凹壁面１８ｂ１が両側外側へと変位して、係合凸部２０ｂとの係止が外れることとなる。こうして、カバー片１８とカバー片２０との側部係合部の係合を解除して、ルーバー１０の下端をウエイトカバー１６から取出すと、ルーバー１０のウエイト１４によって挟みつけられる部分の長さを適宜、変更することができるようになる。ルーバー１０の長さを長くしたいときには、ウエイト１４によって挟みつけられる部分を短く、ルーバー１０の長さを短くしたいときには、ウエイト１４によって挟みつけられる部分を長くする。そして、再びウエイト１４の回りをルーバー１０で一周巻きつけた後、これらを、カバー片２０の底部フランジに載せて、ウエイトカバー１６を閉じると、バランスウエイト１２がルーバー１０の下端に吊下支持される。
【００２４】
このようにこの実施形態では、カバー片１８とカバー片２０の側部係合部の係合を解除するときに、ウエイトカバー１６で唯一外側へと突出しているスペーサコード係止部を掴んで押し出す操作を行えばよいために、作業性が良く、簡単に係合解除を行うことができる。また、カバー片１８とカバー２０とが別々に構成されており、側部係合部の係合を解除すると、底部係合部の係合の解除も可能となって、カバー片１８とカバー片２０とを完全に分離することが可能になるために、ウエイトカバー１６内からのウエイト１４の取出しが一層簡単となる。
【００２５】
尚、カバー片１８とカバー片２０の側部係合部の係合を解除して、ウエイトカバー１６の上部を開いたときに、ルーバー１０の下端及びウエイト１４が、カバー片１８及びカバー片２０の内側にくる方の底部フランジの上に載っているとよいが、さらには、図７（ａ）（ｂ）にそれぞれ示すように、カバー片２０の縁部から側部フランジ２０ｃ、２０ｃ−１を延設させて、ルーバー１０の下端及びウエイト１４を受けて仮保持するようにしてもよい。
【００２６】
また、この実施形態では、カバー片１８とカバー片２０が透明であるために、ウエイトカバー１６が吊下げられた状態において、外からウエイトカバー１６内のルーバー１０を見ることができて、ウエイトカバー１６内に収納されていないルーバー１０の上部分とウエイトカバー１６の外観とを同じ色または模様とすることができ、見栄えを良好にすることができる。
【００２７】
また、カバー片１８とカバー片２０の側部係合部は、上記例に限るものではなく、図８に示すように、カバー片１８に係合凸部１８ｂ−１、カバー片２０に係合凹部２０ｂ−１を形成することも可能である。図８の構成においても、スペーサコード係止部１８ｃを押圧することにより、係合凸部１８ｂ−１が変位して、係合凹部２０ｂ−１との係合が外れる。
【００２８】
また、カバー片１８とカバー片２０の側部係合部は、上記例に限るものではなく、図９に示すように、カバー片１８に係合凸部１８ｂ−２、カバー片２０に係合凹部２０ｂ−２を形成することも可能である。図９においては、スペーサコード係止部１８ｃを押圧する（カバー片の内側に向かって押し込む）ことにより、係合凸部１８ｂ−２が変位して、係合凹部２０ｂ−２との係合が外れる。
【００２９】
さらには、上記実施形態では、カバー片１８とカバー片２０とを分離可能なるように構成したが、これに限るものではなく、カバー片１８とカバー片２０のそれぞれの側部フランジの下部をヒンジ結合により連結して、分離はできないようにすることでもよい。また、カバー片１８とカバー片２０とは別部品で構成されているが、カバー片１８とカバー片２０は、その間にヒンジ部が形成された一体品として構成することも可能である。いずれにしても、カバー片１８とカバー片２０の側部係合部を解除することにより、ヒンジ結合された下部を中心として、ウエイトカバー１６の上部を開閉自在とすることができる。また、スペーサコード係止部をカバー片１８とカバー片２０のそれぞれに設け、ウエイトカバー１６を閉じた時に、それぞれのカバー片１８、２０のスペーサコード係止部同士が重なり合って一体となるような形状とし、一体となったスペーサコード係止部にスペーサコード２２を係止させる構成とした場合には、万一人がスペーサコード２２に脚を引っ掛けてしまった時に、スペーサコード係止部が引っ張られても、カバー片１８とカバー片２０はスペーサコード２２によって分離が阻止されるため、不用意に係合が解除されることを防止することができる。この場合、カバー片１８とカバー片２０との係合を解除するときは、いずれか一方のカバー片に設けられたスペーサコード係止部を操作することによって行えばよい。
【００３０】
【発明の効果】
以上説明したように、本発明によれば、スペーサコードが係止されるのに適したスペーサコード係止部を操作することにより、係合部の係合が解除されるので、ウエイトカバーからウエイト及びルーバーの下端を取出して、簡単にルーバーの長さ調整をすることができるようになる。スペーサコード係止部はスペーサコードが係止されるのに適しているので、操作力をかけやすく、操作性を良好にすることができる。
【図面の簡単な説明】
【図１】本発明の実施形態による縦型ブラインドの要部斜視図である。
【図２】本発明の実施形態によるルーバーの下端部を表す分解斜視図である。
【図３】本発明の実施形態によるルーバーの下端部の縦断面図である。
【図４】本発明の実施形態によるバランスウエイトの組立を表す図である。
【図５】本発明の実施形態によるカバー片の係合部の拡大図である。
【図６】図１の６−６線に沿って見た断面図である。
【図７】カバー片の他の例を表す斜視図である。
【図８】カバー片の他の例を表す図６相当図である。
【図９】カバー片の他の例を表す図６相当図である。
【符号の説明】
Ｈ  ヘッドレール
Ｃ  キャリア
１０  ルーバー
１２  バランスウエイト
１４  ウエイト
１６  ウエイトカバー
１８、２０  カバー片
１８ｂ、１８ｂ−１、２０ｂ、２０ｂ−１  係合部
１８ｃ  スペーサコード係止部
２０ｃ、２０ｃ−１  フランジ
２２  スペーサコード
【図１】
2005016086.tif 000003
【図２】
2005016086.tif 000004
【図３】
2005016086.tif 000005
【図４】
2005016086.tif 000006
【図５】
2005016086.tif 000007
【図６】
2005016086.tif 000008
【図７】
2005016086.tif 000009
【図８】
2005016086.tif 000010
【図９】
2005016086.tif 000011